(57)【特許請求の範囲】
【請求項１】
流体の移動および／または圧力の伝播並びに光信号の伝送を同一管体内で同時に行うことが可能な流体配管であって、流体の流出入口が設けられた管体の両端部にそれぞれ送信用および／または受信用の光信号用コネクタが配設されていることを特徴とする光信号伝送機能付き流体配管。
【請求項２】
流体の移動および／または圧力の伝播並びに光信号の伝送を同一管体内で同時に行うことが可能な流体配管の配管部品であって、前記流体配管に接続可能で、かつ流体の流通路と光信号取付け部を有し、前記流通路と該光信号取付け部間で光信号が伝送可能であることを特徴とする光信号伝送機能付き流体配管の配管部品。
【請求項３】
流体の移動および／または圧力の伝播並びに光信号の伝送を同一管体内で同時に行うことが可能な流体配管の配管部品であって、前記流体配管に接続可能で、かつ流体の流通路と光信号取付け部を有し、前記光信号取付け部に電気信号ケーブルに接続された光／電気信号コンバーターが組込まれ、前記流通路と該光信号取付け部間で光信号が伝送可能であることを特徴とする光信号伝送機能付き流体配管の配管部品。
【発明の詳細な説明】
【０００１】
【発明の属する技術分野】
本発明は自動車、船舶、鉄道車両、航空機等の分野で使用される各種流体の移送や圧力の伝播と、各種電子機器の自動制御や計測制御等の通信システムに用いられる光信号の伝送とを同一配管で行うための光信号伝送機能付き流体配管に関するものである。
【０００２】
【従来の技術】
自動車、船舶、鉄道車両、航空機等の分野で使用される各種流体の移送や圧力の伝播には、通常流体用の金属管または樹脂製の管体が用いられ、また各種電子機器の自動制御や計測制御等の通信システムに用いられる光信号の伝送には、光通信用のケーブル専用導管あるいは導波管が用いられるのが一般的である。したがって、自動車を例にとると例えば燃料タンクとエンジンとの間には燃料配管と、タンクからの燃料流量を計測する燃料計の計測信号を出力するための光信号の伝送路が配設され、またＡＢＳ（アンチスキッドブレーキシステム）においてはブレーキシリンダーやアクチュエータとホイールシリンダーとの間にブレーキ配管と、タイヤの回転状況をスピードセンサーなどから光信号として出力し、コントローラーへ送信してタイヤのスリップ率を適性に保つよう制御するための光信号伝送路を二重に配設しなければならないため、限られたスペースに各種流体の配管系と光信号伝送路が複雑に絡み合った状態となり、保守点検も容易ではない。このことは自動車に限らず、船舶、鉄道車両、航空機等の分野における各種電子機器の自動制御や計測制御等の通信システムの配設においても同様である。
【０００３】
【発明が解決しようとする課題】
従来は上記したごとく、自動車、船舶、鉄道車両、航空機等の分野で使用される各種流体の移送や圧力の伝播を行う配管系と、各種電子機器の自動制御や計測制御等の通信システムに用いられる光信号の伝送路を別々に配設しなければならないため、各種流体の配管系と光信号伝送路を簡潔に構成することが困難であった。また各家、各フロアーを通信ネットワークで結ぶ場合、新たに各家、各フロアー毎に光ケーブル通信網を張りめぐらす必要があった。
本発明はこのような実状よりみて、各種流体の移送や圧力の伝播と光信号の伝送を同一配管で行うことが可能な光信号伝送機能付き流体配管およびその配管部品を提供しようとするものである。
【０００４】
【課題を解決するための手段】
本発明に係る光信号伝送機能付き流体配管は、流体の移動および／または圧力の伝播並びに光信号の伝送を同一管体内で同時に行うことが可能な流体配管であって、流体の流出入口が設けられた管体の両端部にそれぞれ送信用および／または受信用の光信号用コネクタが配設されていることを特徴とし、また、本発明に係る配管部品は流体の移動および／または圧力の伝播並びに光信号の伝送を同一管体内で同時に行うことが可能な流体配管の配管部品であって、前記流体配管に簡単に接続可能で、かつ流体の流通路と光信号取付け部を有し、前記流通路と該光信号取付け部間で光信号が伝送可能であることを特徴とし、また前記光信号取付け部に電気信号ケーブルに接続された光／電気信号コンバーターが組込まれていることを特徴とするものである。
【０００５】
すなわち、本発明は従来、水、燃料、潤滑油等の各種液体と、ガス、空気などの各種気体の送給、圧力の伝播と、各種電子機器の自動制御や計測制御等の通信システムに用いられる光信号の伝送をそれぞれ別々のラインで行ってきた方式を、同一ラインでしかも同時に行うことを可能にするために、流体配管の両端部に送信用と受信用の光信号用コネクタを配設し、各種流体の移動および／または圧力の伝播と、光信号の伝送を同時に行えるように構成したものである。
上記光信号伝送機能付き流体配管の場合、流体は当該配管内を流れ、あるいは圧力伝播する。一方、光信号は送信側のコネクタ部から同配管内に導入され、当該管内周面を反射しながら受信側へ伝播していく。
したがって、この光信号伝送機能付き流体配管によれば、各種流体の移動および／または圧力の伝播と光信号の伝送を同一管で同時に行うことができるので、流体用配管と光信号伝送路の二重の配設が不要となり、各種流体の配管系と光信号伝送路を同一ラインで簡潔に構成することが可能となる。
また、この光信号伝送機能付き流体配管の配管部品は、流体配管に接続可能で、かつ流体の流通路と光信号取付け部を有し、流体通路と光信号伝送路を共通して使用できるので、構造的にも比較的簡単でかつコンパクトに構成できる。
さらに、光／電気信号コンバーターを配管部品に組込むことによって、露出するのは電気信号ケーブルだけとなり作業性がよく、また上水道配管に光／電気信号コンバーターなどを接続することにより水道配管網を通信ネットワーク網として利用することが可能となる。
【０００６】
【発明の実施の形態】
図１は本発明に係る光信号伝送機能付き流体配管の第１の実施例を示す要部の縦断面図、図２は同じく本発明の第２の実施例を示す要部の縦断面図、図３は同じく本発明の第３の実施例を示す要部の縦断面図、図４は同じく本発明の第４の実施例を示す要部の縦断面図、図５は同じく本発明の第５の実施例を示す要部の縦断面図、図６は同じく本発明の第６の実施例を示す要部の縦断面図、図７は同じく本発明の第７の実施例を示す要部の縦断面図、図８は同じく本発明の第８の実施例を示す要部の縦断面図であり、１、１１、２１、３１、４１、５１、６１、７１は光／流体ハイブリッドコネクタ、１−１、１１−１、２１−１、３１−１、４１−１、５１−１、６１−１、７１−１はコネクタ本体、１−２、１１−２、２１−２、７１−２は導管、１−３、７１−３、７１−１３は締付けナット、１１−３は締付けリング、２１−３、６１−３はアイジョイント、１−４、１１−４、２１−４はスリーブ、３１−４、４１−４、５１−４、６１−４、７１−４は光／電気コンバーター、１−５、１１−５、２１−５、３１−５、４１−５、５１−５、６１−５、７１−５は締結用ナット、１−６、１１−６、２１−６は光ファイバー、３１−６、４１−６、５１−６、６１−６、７１−６は電気ケーブル、１−７、１１−７、２１−７はプラグ、７１−７は六角穴付プラグ、１−８、１１−８、２１−８は押圧用リング、１−９、１１−９、２１−９はベアリング、１−１０、１１−１０、２１−１０はコイルスプリング、２、１２、７２は反射部材（ミラーコーン）、３は継手部、Ｇはガスケットである。
【０００７】
図１に示す光信号伝送機能付き流体配管は、フレア付き導管１−２の流体入口側端部に光信号送信用の光／流体ハイブリッドコネクタ１を配設した構成となしたもので、その構造は内部に導管１−２と同一管軸方向に貫通する流路１−１ａと、該流路１−１ａと直角方向に連通する流路１−１ｂが穿設されたコネクタ本体１−１の一端側に、予め締付けナット１−３を外嵌したフレア付き導管１−２を接続する。その際、締付けナット１−３を締込むと導管１−２のフレア部１−２ａが締付けナット１−３の押圧面１−３ａとコネクタ本体１−１の受圧面１−１ｃ間に挟圧圧縮されて気密に接続される。
【０００８】
一方、コネクタ本体１−１の導管１−２と反対側には、ガスケットＧを介して光信号送受信用のスリーブ１−４を内嵌し、その外側に締結用ナット１−５を螺合してスリーブ１−４を締付け、さらに該締結用ナット１−５に光ファイバー１−６をプラグ１−７にて接続する。その際、光ファイバー１−６はプラグ１−７内に収納されたベアリング１−９と、予め光ファイバー１−６に一体に取着した押圧用リング１−８間に内装したコイルスプリング１−１０にてスリーブ１−４に一定接触圧力で圧接する。
なお図面は省略しているが、導管１−２ので流体出口側には上記と同じ構成の光信号送受信用の光／流体ハイブリッドコネクタが配設されている。
【０００９】
上記構成の光／流体ハイブリッドコネクタ１を備えた光信号伝送機能付き流体配管において、光／流体ハイブリッドコネクタ１のコネクタ本体１−１を流体送給用の継手部３に接続すると、例えばブレーキオイル等の流体の移送と光信号の送信を同時に行うことができる。この時、流体はコネクタ本体１−１の流路１−１ａ、１−１ｂを通り導管１−２内を流れ、一方、光信号は光／流体ハイブリッドコネクタ１に接続した光ファイバー１−６よりスリーブ１−４を介してコネクタ本体１−１の流路１−１ａより同じ導管１−２内を管内周面を反射しながら受信側へ伝播していく。
【００１０】
つぎに、図２に示す光信号伝送機能付き流体配管は、導管１１−２の両端部に光信号送信用と受信用の光／流体ハイブリッドコネクタ１１を配設した構成となしたもので、その構造は前記と同様の内部に導管１１−２と同一管軸方向に貫通する流路１１−１ａと、該流路１１−１ａと直角方向に連通する流路１１−１ｂが穿設されたコネクタ本体１１−１の一端側に、予め締付けリング１１−３を外嵌した導管１１−２の入口側端部を接続する。コネクタ本体１１−１の接続側端部の外周には抜け止めのために鋸歯状の凹凸部１１−１ｃを形成し、この凹凸部に導管１１−２を外嵌し締付けリング１１−３により締付けて導管１１−２の内周面を鋸歯状の凹凸部１１−１ｃに食い込ませている。
【００１１】
一方、コネクタ本体１１−１の導管１１−２と反対側には、当該コネクタ本体１１−１内にガスケットＧを介して内嵌した光信号送信用のスリーブ１１−４を内嵌し、当該コネクタ本体１１−１内に螺合せしめた締結用ナット１１−５にて締付けて前記スリーブ１１−４を固定し、光ファイバー接続用のプラグ１１−７をコネクタ本体１１−１に螺合する。プラグ１１−７内に収納されている光ファイバー１−６は、前記と同様該プラグ内のベアリング１−９と、予め光ファイバー１１−６に一体に取着した押圧用リング１１−８間に内装したコイルスプリング１１−１０にてスリーブ１１−４に一定接触圧力で圧接する。
なお本実施例においても、前記と同様図面は省略しているが、導管１１−２の出口側には上記と同じ構成の光信号送受信用の光／流体ハイブリッドコネクタが配設されている。
【００１２】
上記図２に示す構成の光／流体ハイブリッドコネクタ１１を備えた光信号伝送機能付き流体配管の場合も、光／流体ハイブリッドコネクタ１１のコネクタ本体１１−１を流体送給用の継手部３に接続すると、燃料等の流体の移送と光信号の送信を同時に行うことができる。この時、流体はコネクタ本体１１−１の流路１１−１ａ、１１−１ｂを通り導管１１−２内を流れ、一方、光信号は光／流体ハイブリッドコネクタ１１に接続した光ファイバー１１−６よりスリーブ１１−４を介してコネクタ本体１１−１の流路１１−１ａより同じ導管１１−２内を管内周面を反射しながら受信側へ伝播していく。
【００１３】
図３に示す光信号伝送機能付き流体配管は、コネクタ本体にアイボルトを採用したもので、その構成は内部に長手方向に設けた流路２１−１ａと、胴体部に前記流路２１−１ａと直角方向に穿設した通孔２１−１ｂを有するコネクタ本体２１−１に、前記通孔２１−１ｂを囲むように当該胴体部にアイジョイント２１−３を外嵌し、該アイジョイント２１−３に突設した筒体部２１−３ａに導管２１−２を溶接やろう付けなどにより直に接続する。一方、コネクタ本体２１−１の頭部には、ガスケットＧを介して光信号送信用のスリーブ２１−４を内嵌し、かつ該スリーブの外側内部に螺合した締結用ナット２１−５をカラー２１−１１を介して光ファイバー２１−６を挿入するとともに、コネクタ本体２１−１にプラグ２１−７を螺着する。この時、光ファイバー２１−６は前記と同様、プラグ２１−７内に収納されたベアリング２１−９と、予め光ファイバー２１−６に一体に取着した押圧用リング２１−８間に内装したコイルスプリング２１−１０にてスリーブ２１−４に一定接触圧力で圧接する。また、コネクタ本体２１−１内には、光ファイバー２１−６より送信される光信号を直角に方向転換して導管２１−２内へ伝送するための反射部材（ミラーコーン）２を通孔２１−１ｂの付近に配置している。この反射部材は円柱体２ａの外周に４個の圧入用爪２ｂが等間隔に突設され、円柱体２ａの先端部に円錐状の反射部２ｃが設けられている。
なお本実施例においても、前記と同様図面は省略しているが、導管２１−２の出口側には上記と同じ構成の光信号送受信用の光／流体ハイブリッドコネクタが配設されている。
【００１４】
上記図３に示す構成の光／流体ハイブリッドコネクタ２１を備えた光信号伝送機能付き流体配管の場合は、この光／流体ハイブリッドコネクタ２１のコネクタ本体２１−１の光ファイバー２１−６側と反対側を継手部３に接続する。その際、コネクタ本体２１−１の胴体部に外嵌したアイジョイント２１−３と継手部３との間と、コネクタ本体２１−１の頭部とアイジョイント２１−３との間に、ガスケットＧを介在させてコネクタ本体２１−１を継手部３に接続する。継手部３側よりコネクタ本体２１−１内に流入した流体は、流路２１−１ａ内の反射部材２の部分を通過し通孔２１−１ｂよりアイジョイント２１−３内に入り導管２１−２へと流れる。一方、光信号は光／流体ハイブリッドコネクタ２１に接続した光ファイバー２１−６よりスリーブ２１−４を介してコネクタ本体２１−１の流路２１−１ａ内に入ると同時に、流路２１−１ａ内の反射部材２に反射して直角に方向転換されて通孔２１−１ｂよりアイジョイント２１−３内に入り、導管２１−２内を管内周面を反射しながら受信側へ伝播していく。
【００１５】
つぎに、図４〜図８に示す光信号伝送機能付き流体配管は、光信号送信用のスリーブ１−４、１１−４、２１−４に替えて、デジタル信号用の電気ケーブル３１−６、４１−６、５１−６、６１−６、７１−６が接続された光／電気信号コンバーター３１−４、４１−４、５１−４、６１−４、７１−４を用いて光信号を伝送する方式を例示したもので、図４に示す光信号伝送機能付き流体配管は、光信号送信用の光／流体ハイブリッドコネクタ３１に光／電気信号コンバーター３１−４を組込んだ構成となしたもので、その構造は内部に流路３１−１ａと、該流路３１−１ａと直角方向に連通する流路３１−１ｂが穿設されたコネクタ本体３１−１の一端側にガスケットＧを介して光／電気信号コンバーター３１−４を内嵌し、その外側に締結用ナット３１−５を螺合して光／電気信号コンバーター３１−４を締付けて接続した構造となしたもので、この場合光／電気信号コンバーター３１−４は電気ケーブル３１−６に接続されているので、外部に露出するのは電気ケーブル３１−６だけとなり、組付けが極めて簡単かつ迅速にできる。
なお図面は省略しているが、本実施例においてもコネクタ本体３１−１の反対側に接続される導管の流体出口側には上記と同じ構成の光信号送受信用の光／流体ハイブリッドコネクタ３１が配設されている。
【００１６】
上記構成の光／流体ハイブリッドコネクタ３１を備えた光信号伝送機能付き流体配管の場合も、前記と同様、光／流体ハイブリッドコネクタ３１のコネクタ本体３１−１を流体送給用の継手部３に接続すると、燃料等の流体の移送と光信号の送信を同時に行うことができる。この時、流体はコネクタ本体３１−１の流路３１−１ａ、３１−１ｂを通りそれぞれの方向へ流れる。一方、光信号は光／流体ハイブリッドコネクタ３１に接続した電気ケーブル３１−６および光／電気信号コンバーター３１−４を介してコネクタ本体３１−１の流路３１−１ａより同じ導管内を管内周面を反射しながら受信側へ伝播していく。
【００１７】
図５に示す光信号伝送機能付き流体配管は、前記図４に示すものと同様、光信号送信用の光／流体ハイブリッドコネクタ４１に光／電気信号コンバーター４１−４を組込んだ構成となしたもので、その構造は内部に流路４１−１ａと、該流路４１−１ａと直角方向に連通する流路４１−１ｂが穿設されたコネクタ本体４１−１の一端側にガスケットＧを介して光／電気信号コンバーター４１−４を直接流路４１−１ａに内嵌し、その外側に締結用ナット４１−５を螺合して光／電気信号コンバーター４１−４を締付けて接続した構造となしたもので、この場合も前記と同様、光／電気信号コンバーター４１−４は電気ケーブル４１−６に接続されているので、外部に露出するのは電気ケーブル４１−６だけとなり、組付けが極めて簡単かつ迅速にできる。
なお図面は省略しているが、本実施例においてもコネクタ本体４１−１の反対側に接続される導管の流体出口側には上記と同じ構成の光信号送受信用の光／流体ハイブリッドコネクタ４１が配設されている。
【００１８】
上記構成の光／流体ハイブリッドコネクタ４１を備えた光信号伝送機能付き流体配管の場合も、前記と同様、光／流体ハイブリッドコネクタ４１のコネクタ本体４１−１を流体送給用の継手部３に接続すると、燃料等の流体の移送と光信号の送信を同時に行うことができる。この時、流体はコネクタ本体４１−１の流路４１−１ａ、４１−１ｂを通りそれぞれの方向へ流れる。一方、光信号は光／流体ハイブリッドコネクタ４１に接続した電気ケーブル４１−６および光／電気信号コンバーター４１−４を介してコネクタ本体４１−１の流路４１−１ａより同じ導管内を管内周面を反射しながら受信側へ伝播していく。
【００１９】
図６に示す光信号伝送機能付き流体配管は、光信号送信用の光／流体ハイブリッドコネクタ５１の流路内に光／電気信号コンバーター５１−４を組込んだ構成となしたもので、その構造は内部に流路５１−１ａと、該流路５１−１ａと直角方向に連通する流路５１−１ｂが穿設されたコネクタ本体５１−１の流路５１−１ａの一端側の内部にガスケットＧを介して光／電気信号コンバーター５１−４を組込み、流路５１−１ａに螺合した締結用ナット５１−５を締付けて光／電気信号コンバーター５１−４を接続した構成となしたもので、この場合も前記と同様、光／電気信号コンバーター５１−４は電気ケーブル５１−６に接続されているので、外部に露出するのは電気ケーブル６１−６だけとなり、組付けが極めて簡単かつ迅速にできる。
なお図面は省略しているが、本実施例においてもコネクタ本体５１−１の反対側に接続される導管の流体出口側には上記と同じ構成の光信号送受信用の光／流体ハイブリッドコネクタ５１が配設されている。
【００２０】
上記構成の光／流体ハイブリッドコネクタ５１を備えた光信号伝送機能付き流体配管の場合も、前記と同様、光／流体ハイブリッドコネクタ５１のコネクタ本体５１−１を流体送給用の継手部３に接続すると、燃料等の流体の移送と光信号の送信を同時に行うことができる。この時、流体はコネクタ本体５１−１の流路５１−１ａ、５１−１ｂを通りそれぞれの方向へ流れる。一方、光信号は光／流体ハイブリッドコネクタ５１に接続した電気ケーブル５１−６および光／電気信号コンバーター５１−４を介してコネクタ本体５１−１の流路５１−１ａより同じ導管内を管内周面を反射しながら受信側へ伝播していく。
【００２１】
図７に示す光信号伝送機能付き流体配管は、前記図３に示すものと同様のコネクタ本体にアイボルトを採用し、光信号送信用の光／流体ハイブリッドコネクタ６１に光／電気信号コンバーター６１−４を組込んだ構成となしたもので、その構成は内部に長手方向に設けた流路６１−１ａと、胴体部に前記流路６１−１ａと直角方向に穿設した通孔６１−１ｂを有するコネクタ本体６１−１に、前記通孔６１−１ｂを囲むように当該胴体部にアイジョイント６１−３を外嵌し、該アイジョイント６１−３に突設した筒体部６１−３ａに導管６１−２を溶接やろう付けなどにより直に接続している。一方、コネクタ本体６１−１の頭部には、電気ケーブル６１−６に接続された光／電気信号コンバーター６１−４をガスケットＧを介して内嵌し、その内側に締結用ナット６１−５を螺合して光／電気信号コンバーター６１−４を締付けて接続した構造となし、かつコネクタ本体６１−１内には、電気ケーブル６１−６より光／電気信号コンバーター６１−４を介して送信される光信号を直角に方向転換して導管６１−２内へ伝送するための反射部材（ミラーコーン）１２を通孔６１−１ｂの付近に位置するように光／電気信号コンバーター６１−４に装着している。この反射部材１２は円柱体１２ａとこの円柱体の先端部に設けた円錐状の反射部２ｂとからなっている。この光信号伝送機能付き流体配管の場合も、光／電気信号コンバーター６１−４は電気ケーブル６１−６に接続されているので、外部に露出するのは電気ケーブル６１−６だけとなり、組付けが極めて簡単かつ迅速にできる。
なお本実施例においても、前記と同様図面は省略しているが、コネクタ本体５１−１の反対側に接続される導管の流体出口側には上記と同じ構成の光信号送受信用の光／流体ハイブリッドコネクタ６１が配設されている。
【００２２】
上記図７に示す構成の光／流体ハイブリッドコネクタ６１を備えた光信号伝送機能付き流体配管の場合も、前記図３に示すものと同様、光／流体ハイブリッドコネクタ６１のコネクタ本体６１−１の光／電気信号コンバーター６１−４側と反対側を継手部３に接続する。継手部側よりコネクタ本体６１−１内に流入した流体は、流路６１−１ａ内の反射部材１２の部分を通過し通孔６１−１ｂよりアイジョイント６１−３内に入り導管６１−２へと流れる。一方、光信号は光／流体ハイブリッドコネクタ６１に接続した光／電気信号コンバーター６１−４を介してコネクタ本体６１−１の流路６１−１ａ内に入ると同時に、流路６１−１ａ内の反射部材１２に反射して直角に方向転換されて通孔６１−１ｂよりアイジョイント６１−３内に入り、導管６１−２内を管内周面を反射しながら受信側へ伝播していく。
【００２３】
図８に示す光信号伝送機能付き流体配管は、導管の途中に光信号送受信用の光／流体ハイブリッドコネクタ７１を配設した構成となしたもので、その構造は内部に導管７１−２と同一管軸方向に貫通する流路７１−１ａと、該流路７１−１ａと直角方向に連通する流路７１−１ｂが穿設され、流路７１−１ｂと対向する側に反射部材７２を取付けるボス部７１−１ｄが設けられたコネクタ本体７１−１の両端部に、予め締付けナット７１−３、７１−１３を外嵌したフレア付き導管７１−２を接続する。その際、締付けナット１−３を締込むと導管７１−２のフレア部７１−２ａが締付けナット７１−３、７１−１３の押圧面７１−３ａ、７１−１３ａとコネクタ本体７１−１の受圧面７１−１ｃ間に挟圧圧縮されて気密に接続される。
【００２４】
一方、コネクタ本体７１−１の流路７１−１ｂには、ガスケットＧを介して光／電気信号コンバーター７１−４を内嵌し、その外側に締結用ナット７１−５を螺合して光／電気信号コンバーター７１−４を締付けて接続するとともに、電気ケーブル７１−６より光／電気信号コンバーター７１−４を介して送受信される光信号を直角に方向転換して、導管７１−１の両端部に接続されている導管７１−２内へ伝送するための反射部材（ミラーコーン）７２を、前記ボス部７１−１ｄに螺合した六角穴付きプラグ７１−７にて取付けている。この光信号伝送機能付き流体配管の場合も、光／電気信号コンバーター７１−４は電気ケーブル７１−６に接続されているので、外部に露出するのは電気ケーブル７１−６だけとなり、組付けが極めて簡単かつ迅速にできる。
【００２５】
上記図８に示す構成の光／流体ハイブリッドコネクタ７１を備えた光信号伝送機能付き流体配管の場合、光信号は光／流体ハイブリッドコネクタ７１の中央部に接続した光／電気信号コンバーター７１−４から発信され、流路７１−１ａ内の反射部材７２に反射して直角に方向転換されて、コネクタ本体７１−１の流路７１−１ａ内に入ると同時に、コネクタ本体７１−１内の管内周面を反射しながら両方の導管７１−２側へ伝播していき、コネクタ本体７１−１の両端部に接続されている導管７１−２内を管内周面を反射しながら受信側へ伝播していくとともに、流路７１−１ａ内を伝播してきた光信号が光／電気信号コンバーター７１−４にて電気信号に変換されて電気ケーブル７１−６に出力される。なお、コネクタ本体７１−１および導管７１−２内には流体が流れていることはいうまでもない。
【００２６】
上記した図１〜図８に示す構成の光信号伝送機能付き流体配管を例えば自動車の燃料系に用いる場合には、リアーのタンク部からフロントのエンジンルーム内への燃料配管を本発明の光信号伝送機能付き流体配管で構成し、この流体配管によりエンジンに燃料を圧送すると同時に、リア側の諸情報（燃料残量、燃料圧力、燃料温度、ＣＤ、ＭＤなどの情報、カーナビなどの情報、後部カメラからの情報、車間距離、後部障害物距離等）を光信号により制御系へ伝送することができる。
また、本発明の光信号伝送機能付き流体配管をブレーキ配管に用いた場合には、圧力伝播の外に光情報としてタイヤ回転速度、タイヤ温度、タイヤ振動、ドラム・ディスク・パッドの摩耗量と温度、タイヤ空気圧、ベアリングの温度および振動等を同一配管にて制御系へ伝送することができる。さらに、例えばガスや水道配管路を本発明の光信号伝送機能付き流体配管で構成し、各流体配管路の途中に流量計測器を適当な間隔を置いて配置することにより、流量計測器間の流量を計測することができるのみならず、流体の漏洩がどの区間で生じているかなども地上で簡単かつ的確に検知できる。さらに、光ファイバーが内蔵された電気ケーブルに接続された光／電気信号コンバーターを用いた図４〜図８に示す構成の光信号伝送機能付き流体配管を例えば上水道に配管した場合には、水道配管網が通信ネットワーク網となり、新たな通信ケーブルの引き込みの必要がなくなる。
【００２７】
なお本発明で用いる導管としては内周面が高反射性能を有するものが好ましく、金属配管としては例えば電縫管の場合はブライト仕上げをした帯材を用いて造管したもの、シームレス管の場合はプラグを用いて伸管加工を施したもの、あるいは前記導管の内周面を鏡面加工したり、内周面に光沢めっきや樹脂コートを施したものなどが好適であり、また樹脂管としてゴムホースを用いる場合は樹脂チューブを内管として重合したものなどが好適である。
【００２８】
【発明の効果】
以上説明したごとく、本発明の光信号伝送機能付き流体配管は、各種流体の移送や圧力の伝播と光信号の伝送を同一配管で同時に行うことができるので、燃料や潤滑油等の各種液体と、ガス、空気などの各種気体の送給、圧力の伝播と、各種電子機器の自動制御や計測制御等の通信システムに用いられる光信号の伝送を同一ラインで実施することが可能となり、各種流体の配管系と光信号伝送路を簡潔に構成することが容易となると共に、その配管部品も流体配管に簡単に接続可能で、かつ流体の流通路と光信号取付け部を有し、流体通路と光信号伝送路を共通して使用できるので、構造的にも比較的簡単でかつコンパクトに構成できることにより、配管スペースが制約されるような場所にも簡単に対応できるとともに、設備費などの低減もはかられ、また保守点検も容易となるなど、自動車、船舶、鉄道車両、航空機等の分野に多大な効果を奏する。また、光／電気信号コンバーターを用いることにより、配管部品の組立てをより簡易迅速に行うことができるのみならず、水道配管網を通信ネットワーク網として利用することが可能となることにより、ＣＡＴＶなどのような各戸に光ファイバーなどの通信ケーブルを引き込む必要がなくなり、その有用性は極めて大きい。
【図面の簡単な説明】
【図１】本発明に係る光信号伝送機能付き流体配管の第１の実施例を示す要部の縦断面図である。
【図２】同じく本発明の第２の実施例を示す要部の縦断面図である。
【図３】同じく本発明の第３の実施例を示す要部の縦断面図である。
【図４】同じく本発明の第４の実施例を示す要部の縦断面図である。
【図５】同じく本発明の第５の実施例を示す要部の縦断面図である。
【図６】同じく本発明の第６の実施例を示す要部の縦断面図である。
【図７】同じく本発明の第７の実施例を示す要部の縦断面図である。
【図８】同じく本発明の第８の実施例を示す要部の縦断面図である。
【符号の説明】
１、１１、２１、３１、４１、５１、６１、７１  光／流体ハイブリッドコネクタ
１−１、１１−１、２１−１、３１−１、４１−１、５１−１、６１−１、７１−１  コネクタ本体
１−２、１１−２、２１−２、７１−２  導管
１−３  締付けナット
１１−３  締付けリング
２１−３、６１−３  アイジョイント
１−４、１１−４、２１−４  スリーブ
３１−４、４１−４、５１−４、６１−４、７１−４  光／電気コンバータ
１−５、１１−５、２１−５、３１−５、４１−５、５１−５、６１−５、７１−５  締結用ナット
１−６、１１−６、２１−６  光ファイバー
３１−６、４１−６、５１−６、６１−６、７１−６  電気ケーブル
１−７、１１−７、２１−７  プラグ
７１−７  六角穴付きプラグ
１−８、１１−８、２１−８  押圧用リング
１−９、１１−９、２１−９  ベアリング
１−１０、１１−１０、２１−１０  コイルスプリング
２、１２、７２  反射部材
３  継手部
Ｇ  ガスケット
【図１】
0004360740.tif 000002
【図２】
0004360740.tif 000003
【図３】
0004360740.tif 000004
【図４】
0004360740.tif 000005
【図５】
0004360740.tif 000006
【図６】
0004360740.tif 000007
【図７】
0004360740.tif 000008
【図８】
0004360740.tif 000009